(57)【特許請求の範囲】
【請求項１】
狭帯域のデータパケット信号帯域幅を有する複数のデータパケット信号受信機を、広帯域のデータパケット信号帯域幅を有する複数のデータパケット信号送信機の試験に使用するためのシステムを含む装置であって、
１つ以上の被試験デバイス（ＤＵＴ）から、第１のデータパケット信号送信周波数帯域幅および第２のデータパケット信号送信周波数帯域幅であって、それぞれが、所定の周波数帯域幅以下であり、かつ、第１のデータパケット信号搬送周波数と、第２のデータパケット信号搬送周波数との中間にある、それぞれのＤＵＴデータパケット信号搬送周波数を実質的に中心とする、第１のデータパケット信号送信周波数帯域幅および第２のデータパケット信号送信周波数帯域幅をそれぞれ含む複数のデータパケット信号送信周波数帯域幅を有する第１のデータパケット信号および第２のデータパケット信号を伝達するための、第１の信号経路および第２の信号経路と、
第１のデータパケット信号試験受信機および第２のデータパケット信号試験受信機をそれぞれ有する第１のテスタおよび第２のテスタであって、第１のデータパケット信号受信周波数帯域幅および第２のデータパケット信号受信周波数帯域幅であって、それぞれが、前記所定の周波数帯域幅未満であり、前記所定の周波数帯域幅の２分の１以上であり、かつ、前記第１のデータパケット信号搬送周波数および前記第２のデータパケット信号搬送周波数をそれぞれ中心とし、前記第１のデータパケット信号受信周波数帯域幅および前記第２のデータパケット信号受信周波数帯域幅のうちの１つ以下によって分離される、第１のデータパケット信号受信周波数帯域幅および第２のデータパケット信号受信周波数帯域幅をそれぞれ有する第１の試験モードを含む複数の試験モードで動作するように適合されている、第１のテスタおよび第２のテスタと、
信号経路指定回路であって、前記第１の信号経路および前記第２の信号経路ならびに前記第１のテスタおよび前記第２のテスタの外にあり、かつ、前記第１の信号経路および前記第２の信号経路と、前記第１のテスタおよび前記第２のテスタとの間に結合されて、前記第１のデータパケット信号および前記第２のデータパケット信号を、前記第１のテスタおよび前記第２のテスタに経路指定することにより、１つ以上の経路制御信号に応答する信号経路指定回路と
を備え、
第１の時間間隔の間に、前記第１のデータパケット信号の第１の部分が、前記第１のテスタおよび前記第２のテスタのうちの一方によって受信され、および前記第１のデータパケット信号の第２の部分が、前記第１のテスタおよび前記第２のテスタのうちのもう一方によって受信され、かつ、
第２の時間間隔の間に、前記第２のデータパケット信号の第１の部分が、前記第１のテスタおよび前記第２のテスタのうちの一方によって受信され、および前記第２のデータパケット信号の第２の部分が、前記第１のテスタおよび前記第２のテスタのうちのもう一方によって受信される、装置。
【請求項２】
前記第２の時間間隔が、前記第１の時間間隔の後に続く、請求項１に記載の装置。
【請求項３】
前記第１のデータパケット信号の前記第１の部分が、前記第１の時間間隔の第１の部分の間に、前記第１のテスタおよび前記第２のテスタのうちの前記一方によって受信され、
前記第１のデータパケット信号の前記第２の部分が、前記第１の時間間隔の第２の部分の間に、前記第１のテスタおよび前記第２のテスタのうちの前記もう一方によって受信され、
前記第２のデータパケット信号の前記第１の部分が、前記第２の時間間隔の第１の部分の間に、前記第１のテスタおよび前記第２のテスタのうちの前記一方によって受信され、かつ、
前記第２のデータパケット信号の前記第２の部分が、前記第２の時間間隔の第２の部分の間に、前記第１のテスタおよび前記第２のテスタのうちの前記もう一方によって受信される、請求項１に記載の装置。
【請求項４】
前記第１の時間間隔の前記第２の部分が、前記第１の時間間隔の前記第１の部分の後に続き、かつ、
前記第２の時間間隔の前記第２の部分が、前記第２の時間間隔の前記第１の部分の後に続く、請求項３に記載の装置。
【請求項５】
前記第１のテスタおよび前記第２のテスタが、相互に結合されて、テスタ同期化信号およびテスタ周波数基準信号のうちの少なくとも１つを共有する、請求項１に記載の装置。
【請求項６】
前記第１のテスタおよび前記第２のテスタに結合されて、テスタ同期化信号およびテスタ周波数基準信号のうちの少なくとも１つを供給する、１つ以上の信号源をさらに備える、請求項１に記載の装置。
【請求項７】
前記第１の信号経路および前記第２の信号経路が、第１の導電性の無線周波数（ＲＦ）信号経路と、第２の導電性の無線周波数（ＲＦ）信号経路とを備える、請求項１に記載の装置。
【請求項８】
前記信号経路指定回路が、
前記第１の信号経路および前記第２の信号経路に結合された信号分割回路と、
前記信号分割回路と、前記第１のテスタおよび前記第２のテスタとの間に結合された信号スイッチング回路と
を備える、請求項１に記載の装置。
【請求項９】
前記第１のテスタおよび前記第２のテスタが、第３のデータパケット信号受信周波数帯域幅および第４のデータパケット信号受信周波数帯域幅をそれぞれ有する第２の試験モードで動作するようにさらに適合されており、かつ、
少なくとも第３の時間間隔の間に、前記第１のデータパケット信号が、前記第１のテスタおよび前記第２のテスタのうちの一方によって受信され、および前記第２のデータパケット信号が、前記第１のテスタおよび前記第２のテスタのうちのもう一方によって受信される、請求項１に記載の装置。
【請求項１０】
前記第１のテスタおよび前記第２のテスタが、第３のデータパケット信号受信周波数帯域幅および第４のデータパケット信号受信周波数帯域幅であって、それぞれが、前記所定の周波数帯域幅未満であり、かつ、前記第１のデータパケット信号搬送周波数および前記第２のデータパケット信号搬送周波数をそれぞれ中心とし、前記第１のデータパケット信号受信周波数帯域幅および前記第２のデータパケット信号受信周波数帯域幅のうちの２つ以上によって分離される、第３のデータパケット信号受信周波数帯域幅および第４のデータパケット信号受信周波数帯域幅をそれぞれ有する第２の試験モードで動作するようにさらに適合されている、請求項１に記載の装置。
【請求項１１】
狭帯域のデータパケット信号帯域幅を有する複数のデータパケット信号受信機を、広帯域のデータパケット信号帯域幅を有する複数のデータパケット信号送信機の試験に使用するための方法であって、
１つ以上の被試験デバイス（ＤＵＴ）から、第１のデータパケット信号送信周波数帯域幅および第２のデータパケット信号送信周波数帯域幅であって、それぞれが、所定の周波数帯域幅以下であり、かつ、第１のデータパケット信号搬送周波数と、第２のデータパケット信号搬送周波数との中間にある、それぞれのＤＵＴデータパケット信号搬送周波数を実質的に中心とする、第１のデータパケット信号送信周波数帯域幅および第２のデータパケット信号送信周波数帯域幅をそれぞれ含む複数のデータパケット信号送信周波数帯域幅を有する第１のデータパケット信号および第２のデータパケット信号を伝達するための、第１の信号経路および第２の信号経路を提供するステップと、
第１のデータパケット信号試験受信機および第２のデータパケット信号試験受信機をそれぞれ有する第１のテスタおよび第２のテスタであって、第１のデータパケット信号受信周波数帯域幅および第２のデータパケット信号受信周波数帯域幅であって、それぞれが、前記所定の周波数帯域幅未満であり、前記所定の周波数帯域幅の２分の１以上であり、かつ、前記第１のデータパケット信号搬送周波数および前記第２のデータパケット信号搬送周波数をそれぞれ中心とし、前記第１のデータパケット信号受信周波数帯域幅および前記第２のデータパケット信号受信周波数帯域幅のうちの１つ以下によって分離される、第１のデータパケット信号受信周波数帯域幅および第２のデータパケット信号受信周波数帯域幅をそれぞれ有する第１の試験モードを含む複数の試験モードで動作するように適合されている、第１のテスタおよび第２のテスタを提供するステップと、
外部から、前記第１のデータパケット信号および前記第２のデータパケット信号を、前記第１のテスタおよび前記第２のテスタに経路指定するステップと
を含み、
第１の時間間隔の間に、前記第１のデータパケット信号の第１の部分が、前記第１のテスタおよび前記第２のテスタのうちの一方によって受信され、および前記第１のデータパケット信号の第２の部分が、前記第１のテスタおよび前記第２のテスタのうちのもう一方によって受信され、かつ、
第２の時間間隔の間に、前記第２のデータパケット信号の第１の部分が、前記第１のテスタおよび前記第２のテスタのうちの一方によって受信され、および前記第２のデータパケット信号の第２の部分が、前記第１のテスタおよび前記第２のテスタのうちのもう一方によって受信される、方法。
【請求項１２】
前記第２の時間間隔が、前記第１の時間間隔の後に続く、請求項１１に記載の方法。
【請求項１３】
前記第１のデータパケット信号の前記第１の部分が、前記第１の時間間隔の第１の部分の間に、前記第１のテスタおよび前記第２のテスタのうちの前記一方によって受信され、
前記第１のデータパケット信号の前記第２の部分が、前記第１の時間間隔の第２の部分の間に、前記第１のテスタおよび前記第２のテスタのうちの前記もう一方によって受信され、
前記第２のデータパケット信号の前記第１の部分が、前記第２の時間間隔の第１の部分の間に、前記第１のテスタおよび前記第２のテスタのうちの前記一方によって受信され、かつ、
前記第２のデータパケット信号の前記第２の部分が、前記第２の時間間隔の第２の部分の間に、前記第１のテスタおよび前記第２のテスタのうちの前記もう一方によって受信される、請求項１１に記載の方法。
【請求項１４】
前記第１の時間間隔の前記第２の部分が、前記第１の時間間隔の前記第１の部分の後に続き、かつ、
前記第２の時間間隔の前記第２の部分が、前記第２の時間間隔の前記第１の部分の後に続く、請求項１３に記載の方法。
【請求項１５】
前記第１のテスタと、前記第２のテスタとの間で、テスタ同期化信号およびテスタ周波数基準信号のうちの少なくとも１つを共有するステップをさらに含む、請求項１１に記載の方法。
【請求項１６】
前記第１のテスタおよび前記第２のテスタに、テスタ同期化信号およびテスタ周波数基準信号のうちの少なくとも１つを供給するステップをさらに含む、請求項１１に記載の方法。
【請求項１７】
第１の信号経路および第２の信号経路を提供する前記ステップが、第１の導電性の無線周波数（ＲＦ）信号経路および第２の導電性の無線周波数（ＲＦ）信号経路を提供するステップを含む、請求項１１に記載の方法。
【請求項１８】
前記第１のデータパケット信号および前記第２のデータパケット信号を、前記第１のテスタおよび前記第２のテスタに経路指定する前記ステップが、
前記第１のデータパケット信号および前記第２のデータパケット信号を複製するステップと、
複製された前記第１のデータパケット信号および前記第２のデータパケット信号を切り換えるステップと
を含む、請求項１１に記載の方法。
【請求項１９】
前記第１のテスタおよび前記第２のテスタが、第３のデータパケット信号受信周波数帯域幅および第４のデータパケット信号受信周波数帯域幅をそれぞれ有する第２の試験モードで動作するようにさらに適合されており、かつ、
少なくとも第３の時間間隔の間に、前記第１のデータパケット信号が、前記第１のテスタおよび前記第２のテスタのうちの一方によって受信され、および前記第２のデータパケット信号が、前記第１のテスタおよび前記第２のテスタのうちのもう一方によって受信される、請求項１１に記載の方法。
【請求項２０】
前記第１のテスタおよび前記第２のテスタが、第３のデータパケット信号受信周波数帯域幅および第４のデータパケット信号受信周波数帯域幅であって、それぞれが、前記所定の周波数帯域幅未満であり、かつ、前記第１のデータパケット信号搬送周波数および前記第２のデータパケット信号搬送周波数をそれぞれ中心とし、前記第１のデータパケット信号受信周波数帯域幅および前記第２のデータパケット信号受信周波数帯域幅のうちの２つ以上によって分離される、第３のデータパケット信号受信周波数帯域幅および第４のデータパケット信号受信周波数帯域幅をそれぞれ有する第２の試験モードで動作するようにさらに適合されている、請求項１１に記載の方法。
【発明の詳細な説明】
【技術分野】
【０００１】
本発明は、データパケット送受信機を試験することに関し、特に、狭帯域試験装置を使用して、広帯域データパケット信号送受信機を試験することに関する。
【背景技術】
【０００２】
今日の電子デバイスの多くは、接続および通信の両方の目的のためにワイヤレス技術を使用している。ワイヤレスデバイスは、電磁エネルギーを送受信することから、さらに２つ以上のワイヤレスデバイスは、信号周波数および電力スペクトル密度によって、互いの動作に干渉する可能性があることから、これらのデバイスおよびワイヤレス技術は、様々なワイヤレス技術標準仕様に準拠していなければならない。
【０００３】
このようなワイヤレスデバイスを決める際に、技術者は、このようなデバイスが、それぞれに含まれるワイヤレス技術規定標準ベース仕様に確実に合致するか、または上回るように特別な注意を払っている。さらに、その後これらのデバイスが量産される際には、これらのデバイスは、製造上の欠陥が原因で動作不良を起こすことがないように、含まれるワイヤレス技術標準ベース仕様に確実に準拠していることも含めて試験される。
【０００４】
これらのデバイスを、製造および組み立て後に試験するために、現行のワイヤレスデバイス試験システムは、各デバイスから受信された信号を分析するためのサブシステムを採用している。そのようなサブシステムは、通常、少なくとも、被試験デバイスに送信されるソース信号を供給するためのベクトル信号発生器（ＶＳＧ）と、被試験デバイスによって生成された信号を分析するためのベクトル信号分析器（ＶＳＡ）とを含む。ＶＳＧによる試験信号の生成、およびＶＳＡによって実行される信号の分析は一般に、多様なデバイスがそれぞれ、異なる周波数範囲、帯域幅、および信号変調特性を有する多様なワイヤレス技術規定に準拠していることを試験するために使用できるようにプログラム可能である。
【０００５】
ワイヤレス通信デバイスの製造の一環として、生産コストのかなりの部分を占めるものの１つは、製造試験に関連したコストである。通常、試験のコストと、試験を実行するのに必要な試験装置の高度化との間には、直接的な相関関係がある。そのため、装置コスト（例えば、必要な試験装置、またはテスタをさらに高度化させることによるコスト増加など）を最小限に抑える一方で、試験精度を保つことが可能なイノベーションは、重要であり、特に、そのようなデバイスが大量に製造され、かつ、試験されることを考慮すると、大幅にコストを節約することが可能である。
【０００６】
例えば、「ＷｉＦｉ」として知られる、一般に知られかつ広く使用されているワイヤレス規格は、一連の規格の所産であり、その信号帯域幅は（例えば、ＩＥＥＥ８０２．１１ａｃ規格で）、１６０メガヘルツ（ＭＨｚ）幅までの直交周波数分割多重（ＯＦＤＭ）信号を含むまで発展している。しかしながら、ＷｉＦｉ規格の順守を試験するように設計された試験装置は、８０ＭＨｚ以下の信号帯域幅に制限されている場合がほとんどである。そのため、そのようなテスタは、帯域幅が８０ＭＨｚを超えるＷｉＦｉ信号を試験するのに十分ではない。したがって、これでは、ＩＥＥＥ８０２．１１ａｃ規格の１６０ＭＨｚの信号を試験することが不可能になるであろう。１６０ＭＨｚ幅の信号の測定に対応するために、この試験装置の性能を向上させるのであれば、試験装置のコストが増大するであろう。また、これらの１６０ＭＨｚ幅の信号チャネル内にテストポイントはほとんど存在しないため、試験装置のコストがそのように大幅に増大しても、試験性能追加の面で、ほとんど恩恵をもたらさないであろう。
【０００７】
さらに、ＩＥＥＥ８０２．１１ａｃ規格用に設計されたワイヤレスデバイスは、４０ＭＨｚ以下の信号帯域幅のＩＥＥＥ８０１．１１ｎ規格の下で動作することもまた可能である。そのため、単一のテスタを、そのようなデバイスを試験するように適用すると、ＩＥＥＥ８０２．１１ｎ規格の信号を試験することはできるが、１６０ＭＨｚ幅のＩＥＥＥ８０２．１１ａｃ規格の信号を試験することができない。そうではなく、求められるテスタは、１６０ＭＨｚ以上の信号を捕捉および分析可能であることが必要となるであろう。そのような試験システムは、８０ＭＨｚ幅の信号を試験することが可能な現行のテスタよりもかなりコストが高く、ベースバンド処理エンジンの大部分が、狭帯域の無線周波数（ＲＦ）信号経路と、高帯域の無線周波数（ＲＦ）信号経路との間で共有される場合があるため、不必要に冗長となる場合がある。さらに、１６０ＭＨｚ幅の信号チャネルと比較して、２０ＭＨｚ、４０ＭＨｚおよび８０ＭＨｚ幅の信号チャネルでは、より多数のテストポイントが存在する。したがって、ＩＥＥＥ８０２．１１ｎおよび８０２．１１ａｃのどちらの信号も、１６０ＭＨｚ幅周波数帯域全体にわたって試験することが可能なテスタを取得するコストが大きくなることにより、そのような高度なワイヤレスデバイスの製造試験コスト全体が影響を受ける。
【発明の概要】
【発明が解決しようとする課題】
【０００８】
したがって、ますます高度化されるテスタを必ずしも必要とすることなく、ますます高度化されるＤＵＴを試験するための技法を有することが望ましい。
【課題を解決するための手段】
【０００９】
本出願に係る発明に従って、狭帯域のデータパケット信号帯域幅を有する複数のデータパケット信号テスタを、広帯域のデータパケット信号帯域幅を有する複数のデータパケット信号送信機の試験に使用するためのシステムおよび方法が提供される。狭帯域の受信機帯域幅を有する複数のデータパケット信号テスタを使用して、被試験デバイス（ＤＵＴ）によって生成されたデータパケット信号の広帯域幅のそれぞれの部分を処理することにより、低コストの狭帯域幅の試験装置を使用して、広帯域幅の信号を試験することが可能になる。
【００１０】
本出願に係る発明の一実施形態に従って、狭帯域のデータパケット信号帯域幅を有する複数のデータパケット信号受信機を、広帯域のデータパケット信号帯域幅を有する複数のデータパケット信号送信機の試験に使用するためのシステムは、
１つ以上の被試験デバイス（ＤＵＴ）から、第１のデータパケット信号送信周波数帯域幅および第２のデータパケット信号送信周波数帯域幅であって、それぞれが、所定の周波数帯域幅以下であり、かつ、第１のデータパケット信号搬送周波数と、第２のデータパケット信号搬送周波数との中間にある、それぞれのＤＵＴデータパケット信号搬送周波数を実質的に中心とする、第１のデータパケット信号送信周波数帯域幅および第２のデータパケット信号送信周波数帯域幅をそれぞれ含む複数のデータパケット信号送信周波数帯域幅を有する第１のデータパケット信号および第２のデータパケット信号を伝達するための、第１の信号経路および第２の信号経路と、
第１のデータパケット信号試験受信機および第２のデータパケット信号試験受信機をそれぞれ有する第１のテスタおよび第２のテスタであって、第１のデータパケット信号受信周波数帯域幅および第２のデータパケット信号受信周波数帯域幅であって、それぞれが、前記所定の周波数帯域幅未満であり、所定の周波数帯域幅の２分の１以上であり、かつ、第１のデータパケット信号搬送周波数および第２のデータパケット信号搬送周波数をそれぞれ中心とし、前記第１のデータパケット信号受信周波数帯域幅および前記第２のデータパケット信号受信周波数帯域幅のうちの１つ以下によって分離される、第１のデータパケット信号受信周波数帯域幅および第２のデータパケット信号受信周波数帯域幅をそれぞれ有する第１の試験モードを含む複数の試験モードで動作するように適合されている、第１のテスタおよび第２のテスタと、
信号経路指定回路であって、第１の信号経路および第２の信号経路ならびに第１のテスタおよび第２のテスタの外にあり、かつ、第１の信号経路および第２の信号経路と、第１のテスタおよび第２のテスタとの間に結合されて、第１のデータパケット信号および第２のデータパケット信号を、第１のテスタおよび第２のテスタに経路指定することにより、１つ以上の経路制御信号に応答する信号経路指定回路と
を含み、
第１の時間間隔の間に、第１のデータパケット信号の第１の部分が、第１のテスタおよび第２のテスタのうちの一方によって受信され、および第１のデータパケット信号の第２の部分が、第１のテスタおよび第２のテスタのうちのもう一方によって受信され、かつ、
第２の時間間隔の間に、第２のデータパケット信号の第１の部分が、第１のテスタおよび第２のテスタのうちの一方によって受信され、および第２のデータパケット信号の第２の部分が、第１のテスタおよび第２のテスタのうちのもう一方によって受信される。
【００１１】
本出願に係る発明の別の実施形態に従って、狭帯域のデータパケット信号帯域幅を有する複数のデータパケット信号受信機を、広帯域のデータパケット信号帯域幅を有する複数のデータパケット信号送信機の試験に使用するための方法は、
１つ以上の被試験デバイス（ＤＵＴ）から、第１のデータパケット信号送信周波数帯域幅および第２のデータパケット信号送信周波数帯域幅であって、それぞれが、所定の周波数帯域幅以下であり、かつ、第１のデータパケット信号搬送周波数と、第２のデータパケット信号搬送周波数との中間にある、それぞれのＤＵＴデータパケット信号搬送周波数を実質的に中心とする、第１のデータパケット信号送信周波数帯域幅および第２のデータパケット信号送信周波数帯域幅をそれぞれ含む複数のデータパケット信号送信周波数帯域幅を有する第１のデータパケット信号および第２のデータパケット信号を伝達するための、第１の信号経路および第２の信号経路を提供するステップと、
第１のデータパケット信号試験受信機および第２のデータパケット信号試験受信機をそれぞれ有する第１のテスタおよび第２のテスタであって、第１のデータパケット信号受信周波数帯域幅および第２のデータパケット信号受信周波数帯域幅であって、それぞれが、前記所定の周波数帯域幅未満であり、所定の周波数帯域幅の２分の１以上であり、かつ、第１のデータパケット信号搬送周波数および第２のデータパケット信号搬送周波数をそれぞれ中心とし、前記第１のデータパケット信号受信周波数帯域幅および前記第２のデータパケット信号受信周波数帯域幅のうちの１つ以下によって分離される、第１のデータパケット信号受信周波数帯域幅および第２のデータパケット信号受信周波数帯域幅をそれぞれ有する第１の試験モードを含む複数の試験モードで動作するように適合されている、第１のテスタおよび第２のテスタを提供するステップと、
外部から、第１のデータパケット信号および第２のデータパケット信号を、第１のテスタおよび第２のテスタに経路指定するステップと
を含み、
第１の時間間隔の間に、第１のデータパケット信号の第１の部分が、第１のテスタおよび第２のテスタのうちの一方によって受信され、および第１のデータパケット信号の第２の部分が、第１のテスタおよび第２のテスタのうちのもう一方によって受信され、かつ、
第２の時間間隔の間に、第２のデータパケット信号の第１の部分が、第１のテスタおよび第２のテスタのうちの一方によって受信され、および第２のデータパケット信号の第２の部分が、第１のテスタおよび第２のテスタのうちのもう一方によって受信される。
【図面の簡単な説明】
【００１２】
【図１】データパケット送受信機を試験するための従来の試験環境を図示する。
【図２】本出願に係る発明の代表的な実施形態に従ってデータパケット送受信機を試験するための試験環境を図示する。
【図３】本出願に係る発明の代表的な実施形態に従って広帯域のＤＵＴを試験するために組み合わせるテスタ帯域幅を図示する。
【図４】複数のＤＵＴを同時並行で試験するために図２の試験環境を使用する場合の、データパケットの代表的なフローを図示する。
【図５】本出願に係る発明のさらなる代表的な実施形態に従って広帯域のＤＵＴを試験するために組み合わせるテスタ帯域幅を図示する。
【図６】本出願に係る発明のさらなる代表的な実施形態に従って広帯域のＤＵＴを試験するために組み合わせるテスタ帯域幅を図示する。
【発明を実施するための形態】
【００１３】
以下の詳細な説明は、添付図面を参照して本出願に係る発明の例示の実施形態を説明するものである。そのような説明は、例示を意図とするものであって、本発明の範囲に関して限定するものではない。そのような実施形態は、当業者が主題となる本発明を実践することを可能にするよう十分に詳細に説明され、また、主題となる本発明の趣旨または範囲から逸脱することなく、いくつかの変更を加えて、他の実施形態が実践され得ることが理解されよう。
【００１４】
本開示の全体を通じて、文脈から反対のことが明示されない限り、説明される個々の回路素子の数は、単数または複数であり得ることが理解されよう。例えば、用語「回路（ｃｉｒｃｕｉｔ）」および「回路（ｃｉｒｃｕｉｔｒｙ）」は、単一の構成要素または複数の構成要素のいずれかを含んでもよく、それらは、能動的および／または受動的のいずれでもよく、接続されるか、または別の方法で互いに結合されて（例えば、１つ以上の集積回路チップとして）、説明される機能を提供する。さらには、用語「信号」は、１つ以上の電流、１つ以上の電圧、またはデータ信号を指す場合がある。図面内では、類似または関連する要素は、類似または関連する英字、数字、または英数字の指示表記を有する。さらに、本発明は、ディスクリート電子回路（好ましくは、１つ以上の集積回路チップの形態の）を使用する実装形態に関連して論じられているが、そのような回路の任意の部分の機能も、信号周波数または処理されるデータ速度に応じて、適切にプログラムされた１つ以上のプロセッサを使用して代替的に実施することができる。さらに、図が様々な実施形態の機能ブロック図を示す範囲で、その機能ブロックは、ハードウェア回路間の区分を必ずしも示すものではない。
【００１５】
以下でより詳細に説明するように、本出願に係る発明に従って、受信信号帯域幅の制限を有する既存のワイヤレスシステム試験装置を使用して、より大きい帯域幅の信号を生成するワイヤレスデバイス信号を試験することができる。例えば、ＩＥＥＥ８０２．１１ｎ規格および８０２．１１ａｃ（１６０ＭＨｚ）規格に従って信号を試験する場合に、８０ＭＨｚの帯域幅を有する一対のテスタを使用して、適用可能な信号、例えば、２０ＭＨｚ、４０ＭＨｚ、８０ＭＨｚおよび１６０ＭＨｚ幅の信号をすべて測定することができ、その結果、両方の信号規格を試験することが可能になる。
【００１６】
本出願に係る発明に従って、高度な１６０ＭＨｚ幅の信号を採用する２つの被試験デバイス（ＤＵＴ）のシーケンシャルな試験ができるようになる。同一の２つのテスタは、ＤＵＴに対して、２０ＭＨｚ、４０ＭＨｚおよび８０ＭＨｚ幅の信号を同時に（例えば、並行して）試験することもまた可能にし、さらに、１６０ＭＨｚ幅の信号について、インタリーブされた試験を可能にする。たとえ追加のテストポイントが、そのような試験にほとんど必要なくても（例えば、３つか、４つ）、ここで使用している狭帯域の８０ＭＨｚ幅の信号が可能な２つのシステムに関連した間接費は少ない。したがって、２０ＭＨｚ、４０ＭＨｚ、８０ＭＨｚおよび１６０ＭＨｚ幅の信号の試験を伴う、本出願に係る発明に従う試験フローでは、非常に高価な高帯域幅テスタまたは試験フローの別々の部分を別々の試験システムにわたって分配することを必要とせずに、速度面およびコスト面両方の利点を得ることができる。さらに、複数のＤＵＴの送信機を試験することに加えて、多入力、多出力（ＭＩＭＯ）ＤＵＴの単一の送信機を試験することも同様に可能である。
【００１７】
図１を参照すると、典型的な試験環境１０は、通常は、同軸ケーブルおよびコネクタなどの導電性の信号経路の形態のＲＦ信号経路４０によって結合された、テスタ２０およびＤＵＴ３０を含む。この信号経路４０は、ＤＵＴ３０が受信するように、（例えば、ＶＳＧにより設けられた）テスタによって送信された信号２１と、（例えば、ＶＳＡの一部としての）テスタ２０内の受信機２２が受信するように、ＤＵＴ３０内の送信機３２によって送信された信号３１とを伝達する。上述のように、テスタ受信機２２は、ＤＵＴ３０からの信号３１を捕捉し、処理するための最大信号帯域幅２３を有することになり、ＤＵＴ送信機３２は、信号帯域幅３３を有する信号３１を送信することになる。場合によっては、例えば、上述のように何らかのＩＥＥＥ信号規格に従って、送信信号帯域幅３３ａがテスタ帯域幅２３よりも小さくなり、それ以外の場合には、送信信号帯域幅３３ｂが、テスタ帯域幅２３よりも大きくなる。前者の場合には、テスタ２０は、ＤＵＴ信号３１を試験することが十分可能であるが、後者の場合には、テスタ２０は、ＤＵＴ信号３１を十分に試験することができない。
【００１８】
図２を参照する。本出願に係る発明に従って、試験環境１２は、２つのテスタ２０ａ、２０ｂと、複数のＤＵＴ３０ａ、３０ｂからの信号３１ａ、３１ｂをテスタ２０ａ、２０ｂに伝達するために必要な信号経路を提供する信号経路指定回路１４とを含むように拡張することができる。（この代表的な実施形態の目的上、ＤＵＴ３０ａ、３０ｂは、それぞれの送信機３２ａ、３２ｂを有する別個のＤＵＴ、例えば、単入力、単出力（ＳＩＳＯ）ＤＵＴの形態であると見なされる。しかしながら、他の代表的な実施形態に従って、２つの送信機３２ａ、３２ｂは、図示されるように、ＭＩＭＯ  ＤＵＴの形態の、単一のＤＵＴ３０の２つの送信機であってもよい。）
【００１９】
代表的な一実施形態に従って、信号経路指定回路１４は、（信号分割器としても知られている）信号スプリッタ４２ａ、４２ｂと、スイッチング回路４４ａ、４４ｂとを含む。送信信号３１ａ、３１ｂは、信号スプリッタ４２ａ、４２ｂによって分裂（例えば、分割または複製）されて、複製された送信信号４３ａａ、４３ａｂ、４３ｂａ、４３ｂｂをスイッチ４４ａ、４４ｂに供給する。（信号経路指定回路１４とは別個の、または信号経路指定回路１４の一部であるコンピュータまたは他の制御回路であってもよい）制御回路５０からの制御信号５１ａａ、５１ｂａに従って、スイッチ４４ａ、４４ｂは、そのそれぞれのＤＵＴ信号４３ａａ、４３ｂａ、４３ａｂ、４３ｂｂを切り換えて、テスタ受信機２２ａ、２２ｂ用のそれぞれのＤＵＴ信号４５ａ、４５ｂとして供給されるようにする。（信号スプリッタ４２ａ、４２ｂの制御作動用に制御信号５１ａｂ、５１ｂｂを供給することもまた可能である。）これにより、ＤＵＴ信号３１ａ、３１ｂのそれぞれの部分３５ａ、３５ｂ、３５ｃ、３５ｄを、テスタ２０ａ、２０ｂの受信機２２ａ、２２ｂへと経路指定することが可能になる（以下でより詳細に説明する）。あるいは、スイッチ４４ａ、４４ｂを、それぞれのテスタ２０ａ、２０ｂの一部とすること、例えば、テスタ２０ａ、２０ｂに内蔵することも可能である。
【００２０】
制御回路５０は、例えば、受信機２２ａ、２２ｂの公称中心周波数または帯域幅を制御するために、制御信号５１ｃａ、５１ｃｂを、テスタ２０ａ、２０ｂに供給することもまた可能である。あるいは、受信機２２ａ、２２ｂの制御を、他の場所から、例えば、遠隔制御装置（図示せず）、またはテスタ２０ａ、２０ｂからの試験結果の処理および／または表示に使用されるローカルもしくは遠隔コンピュータ（図示せず）から発する制御信号によって実現することが可能である。
【００２１】
代表的な実施形態に従って、第１のＤＵＴ信号３１ａの第１の部分３５ａおよび第２の部分３５ｂは、第１のＤＵＴ信号周波数帯域幅３３ｂａの、それぞれ低い方の２分の１および高い方の２分の１を占める信号成分である。同様に、第２のＤＵＴ信号３１ｂの第１の部分３５ｃおよび第２の部分３５ｄは、第２のＤＵＴ信号周波数帯域幅３３ｂｂの、それぞれ低い方の２分の１および高い方の２分の１を占める信号成分である。
【００２２】
他の代表的な実施形態に従って、追加のスイッチ（例えば、単極双投スイッチ）を、ＤＵＴ信号３１ａ、３１ｂを適切なスイッチ４４ａ、４４ｂに切り換え、または経路指定するための制御回路５０からの適切な制御信号５１ａｂ、５１ｂｂを追加して、信号スプリッタ４２ａ、４２ｂの代わりに使用することができる。
【００２３】
代表的な実施形態に従ったこの試験環境１２の動作は、示されるようなタイミング図に従って進められる。時間間隔Ｔ１の間に、第１のＤＵＴ信号３１ａは、帯域幅２３ａを有する第１の受信機２２ａによって処理された第１の部分３５ａ、および帯域幅２３ｂを有する第２の受信機２２ｂによって処理された第２の部分３５ｂとともに両方のテスタ２０ａ、２０ｂに伝達されることになる。同様に、後続の時間間隔Ｔ２の間に、第２のＤＵＴ信号３１ｂは、それぞれ帯域幅２３ａ、２３ｂを有するその部分３５ｃ、３５ｄを処理するために、第１の受信機２２ａおよび第２の受信機２２ｂに伝達される。
【００２４】
第１のＤＵＴ信号３１ａを受信した後、その捕捉された信号部分３５ａ、３５ｂは、組み合わせられて３５ａｂとなり、例えば、時間間隔Ｔ２の間に処理される。同様に、第２のＤＵＴ信号３１ｂを受信した後、その捕捉された信号部分３５ｃ、３５ｄは、組み合わせられて３５ｃｄとなり、例えば、時間間隔Ｔ３の間に処理される。代表的な実施形態に従って、捕捉された信号部分３５ａ、３５ｂ、３５ｃ、３５ｄは、テスタ２０ａ、２０ｂのいずれか一方において、３５ａｂ、３５ｃｄに組み合わせられて、そのテスタによって処理するか、もう一方のテスタに転送して処理するか、または他の場所（図示せず）に転送して処理することが可能である。あるいは、捕捉された信号部分３５ａ、３５ｂ、３５ｃ、３５ｄを、他の場所（図示せず）に転送して、組み合わせて３５ａｂ、３５ｃｄにして、処理することが可能である。さらなる代表的な実施形態に従って、捕捉された信号部分３５ａ、３５ｂ、３５ｃ、３５ｄは、必ずしも組み合わせられる必要はなく、例えば、時間間隔Ｔ２の間に信号部分３５ａを処理し、時間間隔Ｔ３の間に信号部分３５ｂを処理し、時間間隔Ｔ４の間に信号部分３５ｃを処理し、そして、時間間隔Ｔ５の間に信号部分３５ｄを処理することによって、別々に処理することが可能である。
【００２５】
それぞれのテスタ受信機２２ａ、２２ｂのデータパケット信号受信帯域幅の適切な同期および周波数分離を確立し、維持するために、テスタ２０ａ、２０ｂは、それぞれの同期化回路２４ａ、２４ｂと、周波数合成回路または周波数保持回路２６ａ、２６ｂとの間で共通の同期化信号２５および周波数基準信号２７を共有する。これらの信号２５、２７は、外部の信号源（図示せず）によって供給されるか、または一方のテスタ内で生成されて、もう一方のテスタと共有することができる。
【００２６】
図３を参照すると、受信機２２ａ、２２ｂのデータパケット信号受信帯域幅２３ａ、２３ｂの協調を、より良好に理解することができる。例えば、上述したＤＵＴ信号受信の間に、帯域幅Ｂ１を有する第１の受信機帯域幅２３ａが、第１の公称搬送周波数Ｃ１を中心とする一方で、第２のデータパケット信号受信帯域幅２３ｂが、別の、例えば、それよりも高周波の公称搬送周波数Ｃ２を中心とするようにテスタを構成することが可能である。これらの搬送周波数Ｃ１、Ｃ２は、周波数帯域Ｂによって分離されることが好ましく、さらには、周波数帯域Ｂは、各受信機帯域幅２３ａ／Ｂ１、２３ｂ／Ｂ２のそれぞれと等しい（またはそれよりもわずかに小さい）ことが好ましい。その結果、組み合わせられた受信機帯域幅Ｂ１＋Ｂ２は、上述のように、公称広帯域信号搬送周波数Ｃを中心とした広帯域のデータパケット信号を試験するために必要な帯域幅と等しいか、またはそれよりも大きい。また、回路特性および性能特性の予期される分散を補償するために、それぞれの帯域幅２３ａ／Ｂ１、２３ｂ／Ｂ２が多少重複するように、受信機帯域幅２３ａ／Ｂ１、２３ｂ／Ｂ２を、周波数帯域Ｂの２分の１よりも十分に大きくすることにより、データパケット信号を確実に捕捉するために必要な信号成分をすべて、確実に受信できるようにする。
【００２７】
図４を参照する。上述のように、帯域幅Ｘ以下のデータパケット信号は、テスタ２０ａ、２０ｂの帯域幅２３ａ、２３ｂよりも大きな帯域幅を有する信号よりも多い頻度で試験される。したがって、経路指定回路１４は、テスタ２０ａ、２０ｂが、ＤＵＴ３０ａ、３０ｂを同時に試験するように構成することが可能である。例えば、テスタスイッチ４４ａ、４４ｂ（そしてスプリッタ４２ａ、４２ｂの代わりに使用される場合にはＤＵＴスイッチも）は、制御部５０によって制御されることにより、第１のＤＵＴ信号３１ａが、第１のテスタ受信機２２ａに供給され、第２のＤＵＴ信号３１ｂが、第２のテスタ受信機２２ｂに供給され、そのような信号３１ａ、３１ｂが連続的な時間間隔Ｔ１、Ｔ２、．．．の間に同時に試験されるようにする。
【００２８】
図５を参照すると、本出願に係る発明の代表的な実施形態に従った試験環境および方法の柔軟性を、信号帯域幅が変化するデータパケット信号のシーケンスに関連して、より良好に認識することがおそらく可能である。この例の目的上、第１のＤＵＴ３０ａは、示されるように、８０ＭＨｚ（ＢＷ８０）、１６０ＭＨｚ（ＢＷ１６０）、および４０ＭＨｚ（ＢＷ４０）の信号帯域幅を有するデータパケット信号１３１ａのシーケンスを送信する。同様に、第２のＤＵＴ３０ｂは、示されるように、８０ＭＨｚ、１６０ＭＨｚおよび４０ＭＨｚの帯域幅を同様に有するデータパケット信号１３１ｂのシーケンスを送信する。最初の２つの信号のサブシーケンスＳ１およびＳ２の間に、第１のＤＵＴ信号１３１ａａ、１３１ａｂ、および第２のＤＵＴ信号１３１ｂａ、１３１ｂｂは、示されるように、第１のテスタ２０ａおよび第２のテスタ２０ｂによってそれぞれ受信される。第３のサブシーケンスＳ３の間、第１のＤＵＴ信号１３１ａｃおよび第２のＤＵＴ信号１３１ｂｃは、広帯域の信号、すなわち、テスタ受信機２２ａ、２２ｂの信号帯域幅を超える信号帯域幅を有する信号である。したがって、第１のＤＵＴ信号１３１ａｃは、示されるように、両方のテスタ２０ａ、２０ｂに（例えば、経路指定回路１４を介して）伝達され、一方の部分（例えば、信号帯域幅の高い方の２分の１）１３１ａｃａが、第１のテスタ２０ａによって受信され、もう一方の部分（例えば、信号帯域幅の低い方の２分の１）１３１ａｃｂが、第２のテスタ２０ｂによって受信された状態で、両方のテスタ２０ａ、２０ｂによって受信される。一方で、第２のＤＵＴ信号１３１ｂｃは、テスタ２０ａ、２０ｂのいずれによっても受信されない（そして例えば、経路指定回路１４内で単純に終了する）。
【００２９】
同様に、サブシーケンスＳ４、Ｓ５およびＳ６の間、ＤＵＴ信号は、広帯域の信号である。したがって、サブシーケンスＳ４の間に、第２のＤＵＴ信号１３１ｂｄのそれぞれの部分１３１ｂｄａ、１３１ｂｄｂが、第１のテスタ２０ａおよび第２のテスタ２０ｂによって受信される一方で、第１のＤＵＴ信号１３１ａｄは、使用されていない。サブシーケンスＳ５の間に、それぞれの部分１３１ａｅａ、１３１ａｅｂが、第１のテスタ２０ａおよび第２のテスタ２０ｂによって受信される一方で、第２のＤＵＴ信号１３１ｂｅは、使用されていない。同様に、サブシーケンスＳ６の間に、第２のＤＵＴ信号１３１ｂｆのそれぞれの部分１３１ｂｆａ、１３１ｂｆｂが、第１のテスタ２０ａおよび第２のテスタ２０ｂによって受信される一方で、第１のＤＵＴ信号１３１ａｆは、使用されていない。続いて、サブシーケンスＳ７の間、ＤＵＴ信号１３１ａｇ、１３１ｂｇは、狭帯域の信号、すなわち、テスタ受信機２２ａ、２２ｂの信号帯域幅以下の信号帯域幅を有する信号である。したがって、第１のＤＵＴ信号１３１ａｇおよび第２のＤＵＴ信号１３１ｂｇはそれぞれ、第１のテスタ２０ａおよび第２のテスタ２０ｂに伝達され、第１のテスタ２０ａおよび第２のテスタ２０ｂにより受信される。
【００３０】
図６を参照する。さらなる代表的な実施形態に従って、上述したＤＵＴ信号受信の間に、帯域幅Ｂ１を有する第１の受信機帯域幅２３ａが、第１の公称搬送周波数Ｃ１を中心とする一方で、第２のデータパケット信号受信帯域幅２３ｂが、別の、例えば、それよりも高周波の公称搬送周波数Ｃ２を中心とするようにテスタを構成することが可能である。これらの搬送周波数、Ｃ１、Ｃ２は、周波数帯域Ｄによって分離されることが好ましく、さらには、周波数帯域Ｄは、それぞれの受信機帯域幅２３ａ／Ｂ１、２３ｂ／Ｂ２のいずれよりも大きい（すなわち、Ｄ＞Ｂ１、かつ、Ｄ＞Ｂ２）。その結果、受信機帯域幅Ｂ１、Ｂ２が分離されることにより、周波数Ｃを中心とした、２つの非連続信号帯域を有するデータパケット信号を試験することが可能になる。
【００３１】
本発明の範囲および趣旨から逸脱することのない、本発明の構造および動作方法における様々な他の修正形態および変更形態が、当業者には明らかであろう。本発明は、特定の好適な実施形態に関連して説明されているが、特許請求される本発明は、そのような特定の実施形態に不当に限定されるべきではないことを理解されたい。以下の特許請求の範囲は、本発明の範囲を規定するものであり、この特許請求の範囲およびその均等物の範囲内の構造および方法が特許請求の範囲によって包含されることを意図している。
【図１】
0006402195.tif 000002
【図２】
0006402195.tif 000003
【図３】
0006402195.tif 000004
【図４】
0006402195.tif 000005
【図５】
0006402195.tif 000006
【図６】
0006402195.tif 000007